(57)【要約】【課題】ＤＶＤビデオ形式で記録されたＤＶＤビデオディスク等の記録媒体の再生時に、ユーザが再生映像の目視できないボタンの存在を知ることができるようにして誰でもがおまけタイトルの映像等を楽しむことができるようにする。【解決手段】ハイライト表示区間検出手段（ＤＶＤ管理情報解析部４）によりビデオディスク１の再生信号からビデオディスク１の再生映像のボタンが存在するハイライト表示区間を検出し、デコーダ７により前記再生信号からサブピクチャをデコードし、ボタン検出手段（ＤＶＤ管理情報解析部４）により、ハイライト表示区間のデコーダ７のサブピクチャのデコード出力の状態から、ハイライト表示区間に存在するボタンが目視できないボタンか否かを判別して検出し、報知信号出力手段（ＯＳＤデータ制御部１０）の報知信号により目視できないボタンの存在をユーザに報知する。【選択図】図１
2007089044.tif 000002
【特許請求の範囲】
【請求項１】
ＤＶＤビデオ形式で記録された記録媒体の再生信号から前記記録媒体の再生映像のボタンが存在するハイライト表示区間を検出するハイライト表示区間検出手段と、前記再生信号からサブピクチャをデコードして出力する機能を有するデコーダと、前記ハイライト表示区間の前記デコーダの前記サブピクチャのデコード出力の状態から、前記再生映像の前記ハイライト表示区間に存在するボタンが目視できないボタンか否かを判別して前記目視できないボタンの存在を検出するボタン検出手段と、該ボタン検出手段の前記目視できないボタンの検出により前記目視できないボタンの存在の報知信号を出力する報知信号出力手段とを備えたことを特徴とする映像装置。
【請求項２】
ハイライト表示区間検出手段が、記録媒体の再生信号に含まれたハイライト情報のボタン数から前記記録媒体の再生映像のボタンの存在の有無を検出し、ボタンが存在するときの前記ハイライト情報からハイライト表示区間の再生を検出することを特徴とする請求項１に記載の映像装置。
【請求項３】
ボタン検出手段が、デコーダのハイライト表示区間のサブピクチャの無出力から目視できないボタンの存在を検出することを特徴とする請求項１又は２に記載の映像装置。
【請求項４】
報知出力手段の報知信号が、目視できないボタンの存在を記録媒体の再生映像の画面に表示する信号であることを特徴とする請求項１乃至３の何れか１つに記載の映像装置。
【請求項５】
ＤＶＤビデオ形式で記録された記録媒体の再生信号から前記記録媒体の再生映像のボタンが存在するハイライト表示区間を検出し、デコーダにより前記再生信号からサブピクチャをデコードして出力し、前記ハイライト表示区間の前記デコーダの前記サブピクチャのデコード出力の状態から、前記再生映像の前記ハイライト表示区間に存在するボタンが目視できないボタンか否かを判別して前記目視できないボタンの存在を検出し、該検出により前記目視できないボタンの存在の報知信号を出力することを特徴とする映像装置の再生情報報知方法。
【発明の詳細な説明】
【技術分野】
【０００１】
本発明は、ＤＶＤビデオ形式で記録された記憶媒体の再生機能を備えた映像装置及び該装置の再生情報報知方法に関し、詳しくは、再生映像の目視できないボタンの報知に関する。
【背景技術】
【０００２】
従来、ＤＶＤビデオ（ＤＶＤ−Ｖｉｄｅｏ）形式（規格）で記録された記録媒体として、映画や音楽イベント等が記録された種々のビデオディスクが市販されている。
【０００３】
上述の市販のビデオディスクはＤＶＤプレーヤ、ＤＶＤレコーダ等のＤＶＤビデオの再生機能を備えた映像装置により再生され、映画や音楽イベント等の再生映像が内蔵の或いは別体の液晶ディスプレイ等の画面表示装置に表示される。
【０００４】
その際、再生表示されるコンテンツのメニュー画面や本編は、再生の言語やアングル等の再生条件の選択やタイトル分岐の決定等をユーザ（視聴者）が行なうためのソフトウエアのボタン（ハイライトボタン）を含み、ハイライトボタンの出現に合わせてユーザ（視聴者）がリモコンの選択・決定のキー操作を行うことにより、再生条件の選択やタイトル分岐の決定等が行なわれる（例えば、特許文献１、２、３参照。）。
【０００５】
ところで、上述のハイライトボタンには、例えばメニュー画面や本編の再生映像に邪魔にならないようにするため、無色透明で表示されないもの、すなわち、目視できないボタン（以下、隠しボタンという）になっているものがあり、とくにコンテンツのプロバイダが用意したいわゆるおまけタイトル（隠しタイトル）の映像等への分岐の決定ボタンは、隠しボタンになっていることが多い。
【０００６】
なお、本願の目視できないボタン（隠しボタン）は、何らかの決定ボタンであって、上述の無色透明のボタンだけでなく、色や模様がバックグランド（背景）と同一又は近似して目視できにくくなっているボタンも含むものである。
【特許文献１】特開２００４−１３３４９９号公報（段落［０００３］−［０００６］、［００２２］−［００２７］、図１〜図４）
【特許文献２】特開２００４−１２８７６１号公報（要約書、段落［０００４］−［０００６］、［０１９５］−［０２２８］、図１４、図２０〜図２８）
【特許文献３】特開２００３−３１９３１６号公報（要約書、段落［００２０］−［００５２］、図１〜図５）
【発明の開示】
【発明が解決しようとする課題】
【０００７】
前記従来の映像装置の場合、前述したように隠しボタンが無色透明でメニュー画面や本編の画面に表示されないため、ユーザは隠しボタンの存在を知ることができない。
【０００８】
そして、偶然に隠しボタンの画面でキー操作を行なったユーザだけがおまけタイトルの映像等を楽しむことができ、多くのユーザはおまけタイトルの映像等を楽しむことができない。
【０００９】
本発明は、ＤＶＤビデオ形式で記録されたＤＶＤビデオディスク等の記録媒体の再生時に、ユーザが再生映像の隠しボタンの存在を知ることができるようにして誰でもがおまけタイトルの映像等を楽しむことができるようにすることを目的とする。
【課題を解決するための手段】
【００１０】
上記した目的を達成するために、本発明の映像装置は、ＤＶＤビデオ形式で記録された記録媒体の再生信号から前記記録媒体の再生映像のボタンが存在するハイライト表示区間の再生を検出するハイライト表示区間検出手段と、前記再生信号からサブピクチャをデコードして出力する機能を有するデコーダと、前記ハイライト表示区間の前記デコーダの前記サブピクチャのデコード出力の状態から、前記再生映像の前記ハイライト表示区間に存在するボタンが隠しボタンか否かを判別して前記隠しボタンの存在を検出するボタン検出手段と、該ボタン検出手段の前記隠しボタンの検出により前記隠しボタンの存在の報知信号を出力する報知信号出力手段とを備えたことを特徴としている（請求項１）。
【００１１】
さらに、本発明の映像装置は、上記請求項１の映像装置において、ハイライト表示区間検出手段が、記録媒体の再生信号に含まれたハイライト情報のボタン数から前記記録媒体の再生映像のボタンの存在の有無を検出し、ボタンが存在するときの前記ハイライト情報からハイライト表示区間の再生を検出することを特徴としている（請求項２）。
【００１２】
又、本発明の映像装置は、上記請求項１又は２に記載の映像装置において、ボタン検出手段が、ハイライト表示区間のデコーダのサブピクチャの無出力から隠しボタンの存在を検出することを特徴としている（請求項３）。
【００１３】
さらに、本発明の映像装置は、上記請求項１乃至３の何れか１つに記載の映像装置において、報知出力手段の報知信号が、隠しボタンの存在を記録媒体の再生映像の画面に表示する信号であることを特徴としている（請求項４）。
【００１４】
つぎに、本発明の映像装置の再生情報報知方法は、ＤＶＤビデオ形式で記録された記録媒体の再生信号から前記記録媒体の再生映像のボタンが存在するハイライト表示区間を検出し、デコーダにより前記再生信号からサブピクチャをデコードして出力し、前記ハイライト表示区間の前記デコーダの前記サブピクチャのデコード出力の状態から、前記再生映像の前記ハイライト表示区間に存在するボタンが隠しボタンか否かを判別して前記隠しボタンの存在を検出し、該検出により前記隠しボタンの存在の報知信号を出力することを特徴としている（請求項５）。
【発明の効果】
【００１５】
請求項１に係る映像装置によれば、ハイライト表示区間検出手段が記録媒体の再生信号から再生映像のボタンが存在するハイライト表示区間を検出したときに、デコーダのサブピクチャのデコード出力の状態に基き、ボタン検出手段が隠しボタンであるか否かを判別して隠しボタンの存在を検出する。
【００１６】
そして、隠しボタンの存在を検出すると、報知信号出力手段が隠しボタンの存在の報知信号を出力し、該報知信号によりユーザが再生映像の隠しボタンの存在を容易に知ることができ、誰でもがおまけタイトルの映像等を楽しむことができる。
【００１７】
請求項２に係る映像装置によれば、ハイライト表示区間検出手段により、記録媒体の再生信号に含まれたＤＶＤビデオのハイライト情報のボタン数から記録媒体の再生映像のボタンの存在の有無を検出し、ボタン数が０でなく、ボタンが存在するときに、ハイライト情報からボタンが存在するハイライト表示区間を検出することができ、ＤＶＤビデオの管理情報に含まれるハイライト情報から、記録媒体の再生映像のボタンが存在するハイライト表示区間の再生を簡単に検出することができる。
【００１８】
請求項３に係る映像装置によれば、隠しボタンが無色透明のボタンであればデコーダがサブピクチャをデコード出力しないことに着目し、ボタン検出手段が、ハイライト表示区間のデコーダのサブピクチャの無出力から隠しボタンの存在を検出するため、デコーダのサブピクチャ出力の有無（信号の有無）に基き、処理負担が少ない構成で無色透明の隠しボタンの存在を確実に検出することができる。
【００１９】
請求項４に係る映像装置によれば、報知出力手段の報知信号により、隠しボタンの存在を記録媒体の再生映像の画面に表示することができ、画面を注視しているユーザに隠しボタンの存在を確実に報知することができる。
【００２０】
請求項５に係る映像装置の再生情報報知方法によれば、記録媒体の再生信号からボタンが存在するハイライト表示区間を検出したときに、デコーダのサブピクチャのデコード出力の状態に基いて隠しボタンの存在を検出し、隠しボタンの存在の報知信号を出力してユーザに隠しボタンの存在を報知することができ、誰でもが再生映像の隠しボタンの存在を知っておまけタイトルの映像等を楽しむことができる。
【発明を実施するための最良の形態】
【００２１】
つぎに、本発明をより詳細に説明するため、その一実施形態について、図１及び図２にしたがって詳述する。
【００２２】
図１は本発明の映像装置の一例の回路構成を示したブロック図、図２は動作説明のフローチャートである。
【００２３】
図１の映像装置はＤＶＤビデオの再生機能を備えたＤＶＤプレーヤ或いはＤＶＤレコーダであり、記録媒体である再生対象のビデオディスク１は、ＤＶＤビデオ形式で映画や音楽イベント等が記録された例えば市販のビデオディスクである。
【００２４】
そして、操作部２の再生キーが押されて再生状態になると、周知のＤＶＤプレーヤやＤＶＤレコーダと同様、ターンテーブル上の回転するビデオディスク１の記録を光ピックアップにより読み取り、この読み取りで得られたビデオディスク１の時々刻々の再生信号をデジタル信号処理して記録情報のデジタル信号を再生し、再生デジタル信号を、装置全体を制御するシステム制御部３、ＤＶＤ管理情報解析部４を介してＤＶＤ再生制御部５に送る。尚、システム制御部３、ＤＶＤ管理情報解析部４、ＤＶＤ再生制御部５及び後述のサブピクチャデコードデータ監視部９、ＯＳＤデータ制御部１０等はハードウエア回路で形成してもよいが、本実施形態においては、マイクロコンピューターからなり、それぞれソフトウエア処理によって実現されている。
【００２５】
ここで、ビデオディスク１の記録情報について説明する。ビデオディスク１は、周知のＤＶＤビデオ（ＤＶＤ‐Ｖｉｄｅｏ）規格に基く階層構造フォーマットでＤＶＤビデオの映像、音声のデータ等が記録される。具体的には、ビデオディスク１のリードイン領域とリードアウト領域との間に例えばＵＤＦ（Ｕｎｉｖｅｒｓａｌ  Ｄｉｓｋ  Ｆｏｒｍａｔ）のファイルフォーマット構造の領域が設けられ、この領域が複数個のタイトルのファイルを有し、各タイトルのファイルにＤＶＤビデオ規格のアプリケーションデータが収納される。各アプリケーションデータは、所定の圧縮方式（ＭＰＥＧ２）で圧縮したメインピクチャ（主映像）及びオーディオのデータ、ランレングス圧縮したサブピクチャ（副映像）のデータ等のプレゼンテーションデータと、プレゼンテーションの再生を制御するＤＶＤビデオの管理情報としてのナビゲーションデータとを有する。
【００２６】
さらに詳述すると、ＤＶＤビデオディスクには１つのビデオマネージャと各ビデオタイトルセットが記録され、ビデオマネージャはＤＶＤビデオ全体についての制御情報やタイトル選択メニューのコンテンツ等を含み、各ビデオタイトルセットは各タイトルの制御情報、コンテンツ等を含む。又、ビデオマネージャのビデオマネージャ情報、各ビデオタイトルセットのビデオタイトルセット情報及び、各ビデオタイトルセットに分配された再生制御情報（ＰＣＩ：Ｐｒｅｓｅｎｔａｔｉｏｎ  Ｃｏｎｔｒｏｌ  Ｉｎｆｏｒｍａｔｉｏｎ）、データサーチ情報（ＤＳＩ：Ｄａｔａ  Ｓｅａｒｃｈ  Ｉｎｆｏｒｍａｔｉｏｎ）がナビゲーションデータを構成する。
【００２７】
そして、ビデオマネージャ情報は各種の情報管理テーブル、属性情報テーブル、アドレスマップ等により構成され、例えばビデオタイトルセット情報管理テーブルにはビデオタイトルセットメニューのオーディオストリーム数やサブピクチャストリーム数、ビデオタイトルセットのサブピクチャストリーム数等が記録される。
【００２８】
ところで、各プレゼンテーションの再生は各プログラムチェーンのプログラムチェーン情報により制御され、プログラムチェーン情報はナビゲーションデータの１つとしてビデオマネージャ情報等に分配して記述される。
【００２９】
そして、各プログラムチェーンのプログラムは１以上のセルで構成され、各セルは複数のビデオオブジェクトユニットからなり、各ビデオオブジェクトユニットは、１つのナビゲーションパックと、複数のビデオパック、オーディオパック、サブピクチャパックとを含み、ナビゲーションパックがナビゲーションデータを保持し、各ビデオパックが映像（動画）のデータを保持し、各オーディオパックが音声のデータを保持し、各サブピクチャパックがサブピクチャの映像（主に静止画）のデータを保持し、複数個のサブピクチャパックによって後述のサブピクチャユニットが形成される。
【００３０】
つぎに、ナビゲーションデータの前述の再生制御情報ＰＣＩはメニューや本編のボタン表示制御のハイライト情報ＨＬＩを含み、ハイライト情報ＨＬＩはハイライトジェネラル情報ＨＬ＿ＧＮ、ボタンカラー情報テーブルＢＴＮ＿ＣＯＬＩＴ、ボタン情報テーブルＢＴＮＩＴを含む。
【００３１】
そして、ハイライトジェネラル情報ＨＬ＿ＧＮは、表示画面の有効に存在するボタン数ＢＴＮ＿ＮＳ、操作可能なボタン数ＮＳＬ＿ＢＴＮ＿Ｎｓや、ハイライト情報ＨＬＩの有効期間（デコード期間）の開始ＨＬＩ＿Ｓ＿ＰＴＭ、終了ＨＬＩ＿Ｅ＿ＰＴＭ、ボタン操作を受け付ける期間の終了ＢＴＮ＿ＳＬ＿Ｅ＿ＰＴＭ、ボタングループの属性ＢＴＮ＿ＭＤ等の情報を有し、ハイライトジェネラル情報ＨＬ＿ＧＮの属性情報により、（ａ）ハイライトボタンの再生画面上の位置、（ｂ）選択カラーとアクションカラー、（ｃ）１つのコマンド(オプション)、（ｄ）上下左右方向の隣ボタンの４つが定義される。
【００３２】
又、ボタンカラー情報テーブルＢＴＮ＿ＣＯＬＩＴは各グループのボタンの表示色やコントラストの定義パレットが記述され、ボタン情報テーブルＢＴＮＩＴは各ボタンの選択／決定時の位置情報や実行するボタンコマンドが記述される。尚、ＤＶＤビデオの規格では、最大３種類のボタンセットをボタングループとして定義し、切り替えて表示できるようになっており、ボタンカラー情報テーブルＢＴＮ＿ＣＯＬＩＴは最大３セット（グループ）のパレットがルックアップテーブルにより選択されて記述される。又、実際の選択カラー／コントラストとアクションカラー／コントラストはテーブルの各エントリで各ピクセルタイプのために定義される。
【００３３】
そして、ハイライトジェネラル情報ＨＬ＿ＧＮの上述した（ａ）〜（ｄ）の４つの定義情報にしたがって再生映像にハイライトボタンを重畳合成することにより、再生映像の画面に設定された条件でハイライトボタンが表示される。
【００３４】
ビデオディスクの前述の再生デジタル信号から上述した構造の各記録情報を分離して必要な再生処理を行なうため、図１のＤＶＤ再生制御部５がストリーム分離処理を実行し、ビデオディスク１の再生デジタル信号から、プレゼンテーションデータのメインピクチャ、オーディオ、サブピクチャのビットストリームやナビゲーションデータのハイライト情報ＨＬＩ等のナビゲーションデータを分離抽出し、ナビゲーションデータをＤＶＤ管理情報解析部４に出力する。
【００３５】
さらに、ＤＶＤ管理情報解析部４がナビゲーションデータのビデオマネージャ情報、ビデオタイトルセット情報、再生制御情報ＰＣＩ、データサーチ情報ＤＳＩ等を解析し、ＤＶＤ管理情報解析部４の解析結果に基いてＤＶＤナビゲーション制御部６がナビゲーションコマンドを実行する。
【００３６】
そして、ナビゲーションコマンドの実行結果及び操作部２の選択／決定等に基き、プレゼンテーションの再生シーケンスにしたがって各タイトルのメインピクチャ、オーディオ及びサブピクチャのビットストリームがＤＶＤ再生制御部５からデコーダ７に送られる。
【００３７】
デコーダ７はメインピクチャ、オーディオのデコード機能及びサブピクチャのデコード機能を有するデコーダＩＣにより形成されて本発明のデコーダを形成し、入力されたメインピクチャ、オーディオ及びサブピクチャのデコード出力のデジタル信号をＡ／Ｖ出力部８に出力する。
【００３８】
そして、Ａ／Ｖ出力部８はメインピクチャ、サブピクチャのデコード出力をアナログ或いはデジタルの映像信号に変換等し、オーディオのデジタル信号をアナログの音声信号に変換等し、例えば内蔵の液晶表示装置及びスピーカに供給してビデオディスク１の映像及び音声を再生する。
【００３９】
一方、サブピクチャデコードデータ監視部９はデコーダ７のサブピクチャのデコード出力の状態を監視する。具体的には、例えばサブピクチャのデコード出力の有無によってレベル変化するデコーダ７のモニター出力を利用し、該モニター出力のレベル変化からサブピクチャデコードデータ監視部９がサブピクチャのデコード出力の有無を監視する。
【００４０】
さらに、サブピクチャデコードデータ監視部９の監視結果をＤＶＤ管理情報解析部４に供給し、ＤＶＤ管理情報解析部４により、サブピクチャデコードデータ監視部９の監視結果等から隠しボタンの有無を検出する。
【００４１】
すなわち、ＤＶＤ管理情報解析部４は、ビデオディスク１から再生されたナビゲーションデータを解析する手段を備えるだけでなく、ビデオディスク１の再生中に図２のステップＳ１〜Ｓ４の隠しボタン報知処理のプログラムをくり返し実行することにより、つぎに説明するハイライト表示区間検出手段、ボタン検出手段も備える。
【００４２】
ハイライト表示区間検出手段は、ビデオディスク１の再生信号からビデオディスク１の再生映像のボタンが存在するハイライト表示区間の再生を検出する手段であり、具体的には、ビデオディスク１の再生信号に含まれた前述のハイライト情報ＨＬＩのボタン数ＢＴＮ＿ＮＳが１以上か否か（換言すれば０か否か）により、ビデオディスク１の再生映像のボタンの存在の有無を検出し（ステップＳ１）、ボタンが存在するときのハイライト情報ＨＬＩの有効期間（再生期間）の開始ＨＬＩ＿Ｓ＿ＰＴＭ、終了ＨＬＩ＿Ｅ＿ＰＴＭを確認し、ハイライト情報ＨＬＩの有効期間中にハイライト表示区間の再生（デコード）を検出する（ステップＳ２）。
【００４３】
ボタン検出手段は、ハイライト表示区間を再生中のデコーダ７のサブピクチャのデコード出力の状態から、ハイライト表示区間に存在するボタンが隠しボタンか否かを判別して隠しボタンの存在を検出する手段であり、具体的には、ハイライト表示区間検出手段がハイライト情報ＨＬＩからハイライト表示区間の再生を検出すると作動し、デコーダ７のサブピクチャのモニター出力のレベルから、ハイライト表示区間に存在するハイライトボタンのサブピクチャが実際にデコード出力されているか否かを確認し、デコーダ７からサブピクチャがデコード出力されていなければ、ハイライトボタンが無色透明であること、換言すれば、メインピクチャの再生画面に隠しボタンが存在することを検出する（ステップＳ３）。
【００４４】
そして、隠しボタンの存在を検出すると、本実施形態においては、隠しボタンの存在をオン・スクリーン・ディスプレイ（ＯＳＤ）で画面表示して注意喚起するため、ＤＶＤ管理情報解析部４からシステム制御部３を介して報知信号出力手段としてのＯＳＤデータ制御部１０に隠しボタンの存在の検出報知が指令され、ＯＳＤデータ制御部１０が、予め用意された例えば「決定ボタンを押下げすると別タイトルにジャンプします」というような隠しボタンの存在の検出報知メッセージ或いは、隠しボタンの検出を示すアイコン等のＯＳＤ表示信号（隠しボタンの存在の報知信号）を発生し、ＯＳＤ出力部１１を介して前記液晶表示装置等に供給し、隠しボタンの再生画面に前記の検出報知メッセージ、アイコン等を表示して画面を注視しているユーザに、隠しボタンの存在を気がつき易いように報知（通知）し注意喚起する（ステップＳ４）。
【００４５】
したがって、上述の隠しボタンの存在の検出報知メッセージ或いは、隠しボタンの検出を示すアイコン等の画面表示から、誰でもが隠しボタンの存在を容易に知ることができ、このとき、リモコン等のキー操作をすることで、コンテンツプロバイダが用意したおまけタイトルの映像等を誰でもが楽しむことができる。
【００４６】
そして、本発明は上述した実施形態に限定されるものではなく、その趣旨を逸脱しない限りにおいて上述したもの以外に種々の変更を行うことが可能であり、例えば、ボタン検出手段により、ハイライトボタンの色の状態等も監視して無色透明の隠しボタンだけでなく、色や模様がバックグランド（背景）と同一又は近似して目視できにくくなっている隠しボタンの存在も検出して報知するようにしてもよい。又、デコーダにサブピクチャの出力状態のモニター出力がない場合等には、ボタン検出手段によりデコーダのサブピクチャの出力レベル等からデコーダ出力の状態を直接検出するようにしてもよい。
【００４７】
つぎに、上述した実施形態においては、報知信号出力手段としてのＯＳＤデータ制御部１０を備え、隠しボタンの存在をＯＳＤで画面表示して報知するようにしたが、隠しボタンの存在はＯＳＤの画面表示以外の方法で報知してもよく、例えばスピーカ等からのアラーム音やメッセージ音声の出力等で報知してもよく、ユーザの視覚や聴覚に訴える種々の方法で隠しボタンの存在を報知してよいのは勿論である。
【００４８】
つぎに、装置内部の回路構成や記録媒体の形状・構造等は、上述した実施形態のものに限られるものでなく、例えば、記録媒体はハードディスクや大容量の固体メモリ等であってもよく、テープであってもよい。又、ＤＶＤビデオ形式がバージョンアップ等によって上述した実施形態と異なる場合にも、本発明は同様に適用することができる。
【００４９】
そして、本発明はＤＶＤビデオ形式で記録された種々の記録媒体を再生する映像装置の再生時における隠しボタンの存在の検出・報知に適用することができる。
【図面の簡単な説明】
【００５０】
【図１】本発明の一実施形態の映像装置の回路構成のブロック図である。
【図２】図１の隠しボタン報知処理のフローチャートである。
【符号の説明】
【００５１】
１      ビデオディスク
４      ＤＶＤ管理情報解析部
７      デコーダ
９      サブピクチャデコードデータ監視部
１０    ＯＳＤデータ制御部
【図１】
2007089044.tif 000003
【図２】
2007089044.tif 000004